(57)【要約】【課題】外部から入力されたＷｅｂコンテンツ３３と自己専用の関連情報３６とを同一表示画面４ａ上で比較対照する。【解決手段】表示器４にＷｅｂコンテンツ３３が表示された状態において、内部記憶部１０に記憶された該当Ｗｅｂコンテンツに関連すると指定された関連情報３６における、表示画面上の表示位置、内部記憶部における記憶位置、タイトル、及び該当Ｗｅｂコンテンツのリンク情報を関連情報メモリ１６に書込む（２４）。次に、Ｗｅｂコンテンツが表示された状態において、関連情報メモリに記憶されたタイトル３５ａを表示器に関連情報メニュー３５として表示する（１２）。そして、操作者４６のタイトル指定操作に応じて、関連情報メモリに記憶された該当タイトルの関連情報を内部記憶部から読出して指定された表示位置においてＷｅｂコンテンツ上に重ね表示する。【選択図】      図１
2006113976.tif 000002
【特許請求の範囲】
【請求項１】
ネットワークを介して外部から入力されたＷｅｂコンテンツと、内部に記憶された前記Ｗｅｂコンテンツに関連する関連情報とを表示器の表示画面上に重ね表示するコンテンツ表示装置。
【請求項２】
ネットワークを介して外部から入力された各Ｗｅｂコンテンツを表示器の表示画面上に表示するＷｅｂコンテンツ表示手段と、
前記表示器の表示画面に前記各Ｗｅｂコンテンツが表示された状態において、内部記憶部に記憶された複数情報のうち該当Ｗｅｂコンテンツに関連すると操作指定された関連情報における、表示画面上の表示位置、内部記憶部における記憶位置、タイトル、及び該当Ｗｅｂコンテンツのリンク情報を関連情報メモリに書込む関連情報登録手段と、
前記Ｗｅｂコンテンツが前記表示器の表示画面に表示された状態において、前記関連情報メモリに記憶されたタイトルを前記表示器の表示画面の一部に関連情報メニューとして表示する関連情報メニュー表示手段と、
前記関連情報メニューにおけるタイトル指定操作に応じて、前記関連情報メモリに記憶された該当タイトルの関連情報を前記内部記憶部から読出して前記表示画面上の指定された表示位置において前記Ｗｅｂコンテンツ上に重ね表示する関連情報表示手段と
を備えたことを特徴とするコンテンツ表示装置。
【請求項３】
前記表示器の表示画面に前記各Ｗｅｂコンテンツが表示された状態において、ＧＵＩを用いたマウス操作に応じて前記Ｗｅｂコンテンツ上にマーカーを表示するマーカー表示手段と、
前記マーカー表示手段で表示されたマーカーの表示位置、大きさ、色、及び対応するＷｅｂコンテンツのリンク情報をマーカーメモリに書込むマーカー登録手段と、
前記Ｗｅｂコンテンツが前記表示器の表示画面に再表示されたとき、前記マーカーメモリに記憶された該当Ｗｅｂコンテンツに対応するマーカーを読出して、前記表示画面上の指定された表示位置に前記Ｗｅｂコンテンツ上に重ね標示するマーカー再表示手段と
を備えたことを特徴とする請求項２記載のコンテンツ表示装置。
【請求項４】
前記表示画面に前記各Ｗｅｂコンテンツが表示された状態において、ＧＵＩを用いたマウス操作に応じて前記Ｗｅｂコンテンツ上に付箋紙を重ね表示する付箋紙表示手段と、
前記付箋紙表示手段で表示された付箋紙の表示位置、大きさ、色、記載文字、及び対応するＷｅｂコンテンツのリンク情報を付箋紙メモリに書込む付箋紙登録手段と、
前記Ｗｅｂコンテンツが前記表示器の表示画面に再表示されたとき、前記付箋紙メモリに記憶された該当Ｗｅｂコンテンツに対応する付箋紙を読出して、前記表示画面上の指定された表示位置に前記Ｗｅｂコンテンツ上に重ね表示する付箋紙再表示手段と
を備えたことを特徴とする請求項２記載のコンテンツ表示装置。
【請求項５】
前記付箋紙表示手段は、前記ＧＵＩを用いたマウス操作に応じて前記Ｗｅｂコンテンツ上に重ね表示された付箋紙の位置、大きさを変更することを特徴とする請求項４記載のコンテンツ表示装置。
【請求項６】
前記マーカー表示手段で表示されたマーカー及び前記付箋紙表示手段で表示された付箋紙における重ね表示の重ね順序をレイヤメモリへ登録するレイヤ登録手段を有し、
前記マーカー再表示手段及び前記付箋紙再表示手段は、前記マーカー及び付箋紙を前記レイヤメモリに記憶された重ね順序で前記Ｗｅｂコンテンツ上に重ね表示する
ことを特徴とする請求項３又は４記載のコンテンツ表示装置。
【請求項７】
操作指示に応じて前記レイヤメモリへ登録された重ね表示の重ね順序を変更するレイヤ変更手段と、
操作指示に応じて前記レイヤメモリへ登録された重ね表示の重ね順序をレイヤ表示するレイヤ表示手段と
を備えたことを特徴とする請求項６記載のコンテンツ表示装置。
【請求項８】
前記表示器の表示画面に表示されたＷｅｂコンテンツを全文検索して、使用頻度の高い順に所定個数のキーワードの一覧を抽出する全文検索手段と、
この全文検索手段で抽出されたキーワードの一覧を、対応するＷｅｂコンテンツのリンク情報を付してキーワードメモリへ書込むキーワード登録手段と、
前記Ｗｅｂコンテンツが前記表示器の表示画面に再表示されたとき、前記キーワードメモリに記憶された該当Ｗｅｂコンテツのキーワードの一覧を読出して前記表示器の表示画面の一部に表示するキーワード一覧表示手段と、
前記キーワードの一覧におけるキーワード指定に応じて、前記表示画面に表示状態のＷｅｂコンテンツにおける前記指定されたキーワードの記載頁を前記表示画面に表示する表示位置スクロール手段と
を備えたことを特徴とする請求項２記載のコンテンツ表示装置。
【請求項９】
前記表示器の表示画面に表示状態のＷｅｂコンテンツにおける前記キーワードの一覧に含まれる各キーワードを、キーワード毎に異なる色でハイライト表示するハイライト表示手段を備えたことを特徴とする請求項８記載のコンテンツ表示装置。
【請求項１０】
前記表示画面に前記各Ｗｅｂコンテンツが表示された状態においてインストールされた関連プログラムを、対応するＷｅｂコンテンツのリンク情報を付してプログラムメモリへ書込むプログラム登録手段と、
前記Ｗｅｂコンテンツが前記表示器の表示画面に再表示されたとき、前記プログラムメモリに記憶された該当Ｗｅｂコンテツに対応する関連プログラムを読出して実行するプログラム実行手段と
を備えたことを特徴とする請求項２記載のコンテンツ表示装置。
【請求項１１】
ネットワークを介して外部から入力されたＷｅｂコンテンツと、内部に記憶された前記Ｗｅｂコンテンツに関連する関連情報とを表示器の表示画面上に重ね表示するコンテンツ表示方法。
【請求項１２】
ネットワークを介して外部から入力された各Ｗｅｂコンテンツを表示器の表示画面上に表示するＷｅｂコンテンツ表示工程と、
前記表示器の表示画面に前記各Ｗｅｂコンテンツが表示された状態において、内部記憶部に記憶された複数情報のうち該当Ｗｅｂコンテンツに関連すると操作指定された関連情報における、表示画面上の表示位置、内部記憶部における記憶位置、タイトル、及び該当Ｗｅｂコンテンツのリンク情報を関連情報メモリに書込む関連情報登録工程と、
前記Ｗｅｂコンテンツが前記表示器の表示画面に表示された状態において、前記関連情報メモリに記憶されたタイトルを前記表示器の表示画面の一部に関連情報メニューとして表示する関連情報メニュー表示工程と、
前記関連情報メニューにおけるタイトル指定操作に応じて、前記関連情報メモリに記憶された該当タイトルの関連情報を前記内部記憶部から読出して前記表示画面上の指定された表示位置において前記Ｗｅｂコンテンツ上に重ね表示する関連情報表示工程と
を備えたことを特徴とするコンテンツ表示方法。
【請求項１３】
前記表示器の表示画面に前記各Ｗｅｂコンテンツが表示された状態において、ＧＵＩを用いたマウス操作に応じて前記Ｗｅｂコンテンツ上にマーカーを表示するマーカー表示工程と、
前記マーカー表示工程で表示されたマーカーの表示位置、大きさ、色、及び対応するＷｅｂコンテンツのリンク情報をマーカーメモリに書込むマーカー登録工程と、
前記Ｗｅｂコンテンツが前記表示器の表示画面に再表示されたとき、前記マーカーメモリに記憶された該当Ｗｅｂコンテンツに対応するマーカーを読出して、前記表示画面上の指定された表示位置に前記Ｗｅｂコンテンツ上に重ね標示するマーカー再表示工程と
を備えたことを特徴とする請求項１２記載のコンテンツ表示方法。
【発明の詳細な説明】
【技術分野】
【０００１】
本発明は、ネットワークを介して外部から入力されたＷｅｂコンテンツを表示器に表示するコンテンツ表示装置及びコンテンツ表示方法に関する。
【背景技術】
【０００２】
各家庭や各事務所に設置されたＰＣ（パーソナル・コンピュータ）等のコンピュータ（端末）は、一般的に、内部にＷｅｂブラウザが組込まれ、インターネット（ネットワーク）を介して、外部のＷｅｂサーバにアクセスして、このＷｅｂサーバのホームページ（Ｗｅｂコンテンツ）を自己のＷｅｂブラウザに取込んで、自己の表示器に表示出力可能としている。
【０００３】
インターネットワーク（ネットワーク）上の各Ｗｅｂサーバから各端末（ＰＣ）に送付されるホームページ（Ｗｅｂコンテンツ）には、一般に多くのアイコンが表示されており、各端末（ＰＣ）の操作者はこのアイコンをマウスでクリック操作することにより、このホームページ（Ｗｅｂコンテンツ）に関連する関連情報が記載された同一ＵＲＬの別のページ、又は、別のＷｅｂサーバのホームページ（Ｗｅｂコンテンツ）が検索されて、表示器に表示出力される。
【０００４】
このように、各Ｗｅｂサーバから各端末（ＰＣ）に送付されるホームページ（Ｗｅｂコンテンツ）には、このホームページ（Ｗｅｂコンテンツ）に関連する多くの関連情報がリンク付けされているので、このホームページ（Ｗｅｂコンテンツ）の閲覧者（端末の操作者）に対するサービスを向上できる。
【０００５】
しかしながら一つのホームページ（Ｗｅｂコンテンツ）にリンク付けされた関連情報（サブコンテンツ）の数が多いと、効率的に必要な関連情報（サブコンテンツ）を閲覧できない問題がある。この多くの関連情報（サブコンテンツ）を、関連情報（サブコンテンツ）単位で、比較・並べ替え、分類・整理、収集・保存する機能を有した文書編集システム（端末）が特許文献１に報告されている。
【特許文献１】特開２００４―４６３５７号公報
【発明の開示】
【発明が解決しようとする課題】
【０００６】
しかしながら、Ｗｅｂサーバからネットワークを介してホームページ（Ｗｅｂコンテンツ）をＷｅｂブラウザで受信して表示器に表示出力するＰＣ（端末）においても、このＰＣ（端末）の操作者にとってまだ操作性やその他の機能に対する改良の余地がある。
【０００７】
すなわち、Ｗｅｂサーバからネットワークを介して自己のＰＣ（端末）に供給されるホームページ（Ｗｅｂコンテンツ）にリンク付けされた関連情報は、Ｗｅｂサーバ側から供給された不特定多数のＰＣ（端末）向けに準備された共通の関連情報である。
【０００８】
しかし、ＰＣ（端末）の操作者（利用者）にとっては、供給されるホームページ（Ｗｅｂコンテンツ）の閲覧と同時に自己専用の関連情報をも閲覧する必要性を感じる場合もある。このような場合、ホームページ（Ｗｅｂコンテンツ）が表示される毎に、このホームページ（Ｗｅｂコンテンツ）を表示画面上から消去し、自己専用の関連情報を例えば自己のＨＤＤ等に形成された内部記憶部から読出して、表示器に表示出力する必要があり、操作が非常に煩雑である。
【０００９】
特に、同一ＵＲＬのホームページ（Ｗｅｂコンテンツ）を周期的に閲覧する場合においては、ホームページ（Ｗｅｂコンテンツ）を周期的に閲覧する毎に、前述した煩雑な操作を繰り返し実施する必要があり、煩雑さがより増大する。
【００１０】
また、自己専用の関連情報をホームページ（Ｗｅｂコンテンツ）と同一表示画面に同時に表示していないので、関連情報とホームページ（Ｗｅｂコンテンツ）とを簡単に比較対照できなかった。
【００１１】
本発明はこのような事情に鑑みてなされたものであり、Ｗｅｂサーバからネットワークを介して供給されたＷｅｂコンテンツと自己専用の関連情報とを簡単に比較対照でき、閲覧機能を大幅向上でき、さらに、操作性を大幅に向上できるコンテンツ表示装置及びコンテンツ表示方法を提供することを目的とする。
【課題を解決するための手段】
【００１２】
上記課題を解消するために、本発明のコンテンツ表示装置においては、ネットワークを介して外部から入力されたＷｅｂコンテンツと、内部に記憶されたＷｅｂコンテンツに関連する関連情報とを表示器の表示画面上に重ね表示するようにしている。
【００１３】
このように構成されたコンテンツ表示装置においては、外部から入力されたＷｅｂコンテンツと自己専用の関連情報とが同一表示画面上に重ね表示されるので、コンテンツ表示装置の操作者（利用者）は、簡単にＷｅｂコンテンツと自己専用の関連情報とを比較対照できる。
【００１４】
また別の発明のコンテンツ表示装置においては、ネットワークを介して外部から入力された各Ｗｅｂコンテンツを表示器の表示画面上に表示するＷｅｂコンテンツ表示手段と、表示器の表示画面に各Ｗｅｂコンテンツが表示された状態において、内部記憶部に記憶された複数情報のうち該当Ｗｅｂコンテンツに関連すると操作指定された関連情報における、表示画面上の表示位置、内部記憶部における記憶位置、タイトル、及び該当Ｗｅｂコンテンツのリンク情報を関連情報メモリに書込む関連情報登録手段と、Ｗｅｂコンテンツが前記表示器の表示画面に表示された状態において、関連情報メモリに記憶されたタイトルを表示器の表示画面の一部に関連情報メニューとして表示する関連情報メニュー表示手段と、関連情報メニューにおけるタイトル指定操作に応じて、関連情報メモリに記憶された該当タイトルの関連情報を内部記憶部から読出して表示画面上の指定された表示位置においてＷｅｂコンテンツ上に重ね表示する関連情報表示手段とを備えている。
【００１５】
このように構成されたコンテンツ表示装置においては、このコンテンツ表示装置の操作者（利用者）は、外部から入力されたＷｅｂコンテンツに関連する関連情報を自己の内部記憶部から選択指定すると、自動的に、該当関連情報の表示画面上の表示位置、内部記憶部における記憶位置、タイトル、及び該当Ｗｅｂコンテンツのリンク情報が関連情報メモリに書込まれる。
【００１６】
そして、該当Ｗｅｂコンテンツが表示されると、関連情報メモリに書込まれた各関連情報のタイトルが表示器の表示画面の一部に関連情報メニューとして表示される。よって、操作者はマウスでタイトルを指定すれば、目的とする関連情報が該当Ｗｅｂコンテンツ上に重ね表示される。したがって、操作者は、簡単な操作でもって、Ｗｅｂコンテンツと関連情報とを表示画面上で比較対照できる。
【００１７】
また、別の発明においては、上記発明のコンテンツ表示装置に対して、さらに、表示器の表示画面に各Ｗｅｂコンテンツが表示された状態において、ＧＵＩを用いたマウス操作に応じてＷｅｂコンテンツ上にマーカーを表示するマーカー表示手段と、マーカー表示手段で表示されたマーカーの表示位置、大きさ、色、及び対応するＷｅｂコンテンツのリンク情報をマーカーメモリに書込むマーカー登録手段と、Ｗｅｂコンテンツが表示器の表示画面に再表示されたとき、マーカーメモリに記憶された該当Ｗｅｂコンテンツに対応するマーカーを読出して、表示画面上の指定された表示位置にＷｅｂコンテンツ上に重ね標示するマーカー再表示手段とを備えている。
【００１８】
このように構成されたコンテンツ表示装置においては、操作者は表示されたＷｅｂコンテンツに対してＧＵＩを用いたマウス操作でマーカーを表示可能である。そして、このマーカーの表示位置、大きさ、色、及び対応するＷｅｂコンテンツのリンク情報は自動的にマーカーメモリに書込まれる。そして、該当Ｗｅｂコンテンツが再表示された場合に、マーカーがマーカーメモリの記憶内容に従って自動的に該当Ｗｅｂコンテンツ上に再表示される。
【００１９】
また、別の発明においては、上記発明のコンテンツ表示装置に対して、さらに、表示画面に各Ｗｅｂコンテンツが表示された状態において、ＧＵＩを用いたマウス操作に応じてＷｅｂコンテンツ上に付箋紙を重ね表示する付箋紙表示手段と、付箋紙表示手段で表示された付箋紙の表示位置、大きさ、色、記載文字、及び対応するＷｅｂコンテンツのリンク情報を付箋紙メモリに書込む付箋紙登録手段と、Ｗｅｂコンテンツが表示器の表示画面に再表示されたとき、付箋紙メモリに記憶された該当Ｗｅｂコンテンツに対応する付箋紙を読出して、表示画面上の指定された表示位置にＷｅｂコンテンツ上に重ね表示する付箋紙再表示手段とを備えている。
【００２０】
このように構成されたコンテンツ表示装置においては、操作者は表示されたＷｅｂコンテンツ上にＧＵＩを用いたマウス操作で付箋紙を表示可能である。そして、この付箋紙の表示位置、大きさ、色、記載文字、及び対応するＷｅｂコンテンツのリンク情報は自動的に付箋紙メモリに書込まれる。そして、該当Ｗｅｂコンテンツが再表示された場合に、付箋紙が付箋紙メモリの記憶内容に従って自動的に該当Ｗｅｂコンテンツ上に再表示される。
【００２１】
また、別の発明においては、上記発明のコンテンツ表示装置において、付箋紙表示手段は、ＧＵＩを用いたマウス操作に応じてＷｅｂコンテンツ上に重ね表示された付箋紙の位置、大きさを変更する。
【００２２】
また、別の発明においては、上記発明のコンテンツ表示装置において、マーカー表示手段で表示されたマーカー及び付箋紙表示手段で表示された付箋紙における重ね表示の重ね順序をレイヤメモリへ登録するレイヤ登録手段を有している。さらに、マーカー再表示手段及び付箋紙再表示手段は、マーカー及び付箋紙をレイヤメモリに記憶された重ね順序でＷｅｂコンテンツ上に重ね表示する。
【００２３】
このように構成されたコンテンツ表示装置においては、マーカー及び付箋紙におけるＷｅｂコンテンツ上に対する重ね表示の重ね順序が自動的にレイヤメモリへ登録される。そして、該当Ｗｅｂコンテンツが再表示された場合に、マーカー及び付箋紙がレイヤメモリに登録された順番に該当Ｗｅｂコンテンツ上に重ね表示される。
【００２４】
また、別の発明においては、上記発明のコンテンツ表示装置において、操作指示に応じてレイヤメモリへ登録された重ね表示の重ね順序を変更するレイヤ変更手段と、操作指示に応じてレイヤメモリへ登録された重ね表示の重ね順序をレイヤ表示するレイヤ表示手段とを備えている。
【００２５】
このように構成されたコンテンツ表示装置においては、後からマーカー及び付箋紙の重ね順序を任意に変更可能である。さらに、レイヤメモリへ登録された重ね表示の重ね順序をレイヤ表示することが可能である。なお、マーカー及び付箋紙のレイヤ表示とは、図５（ｂ）に示すように、階層化された複数の透明シートにおける、重ね順序に対応する透明シートにマーカー及び付箋紙を貼付けた状態を立体表示することである。
【００２６】
また、別の発明においては、上記発明のコンテンツ表示装置において、表示器の表示画面に表示されたＷｅｂコンテンツを全文検索して、使用頻度の高い順に所定個数のキーワードの一覧を抽出する全文検索手段と、全文検索手段で抽出されたキーワードの一覧を、対応するＷｅｂコンテンツのリンク情報を付してキーワードメモリへ書込むキーワード登録手段と、Ｗｅｂコンテンツが表示器の表示画面に再表示されたとき、キーワードメモリに記憶された該当Ｗｅｂコンテツのキーワードの一覧を読出して表示器の表示画面の一部に表示するキーワード一覧表示手段と、キーワードの一覧におけるキーワード指定に応じて、表示画面に表示状態のＷｅｂコンテンツにおける指定されたキーワードの記載頁を表示画面に表示する表示位置スクロール手段とを備えている。
【００２７】
このように構成されたコンテンツ表示装置においては、表示されたＷｅｂコンテンツは全文検索されて、使用頻度の高い順に所定個数のキーワードの一覧が抽出されてキーワードメモリに登録されるとともに、該当Ｗｅｂコンテンツの再表示時において、自動的に表示画面の一部に表示される。そして、操作者が一つのキーワードをマウスで指定すると、Ｗｅｂコンテンツにおける指定されたキーワードの記載頁が表示器の表示画面にスクロール表示される。したがって、操作者は、表示されたＷｅｂコンテンツにおけるの自己の関心がある部分を簡単に検索できる。
【００２８】
また、別の発明においては、上記発明のコンテンツ表示装置において、表示器の表示画面に表示状態のＷｅｂコンテンツにおけるキーワードの一覧に含まれる各キーワードを、キーワード毎に異なる色でハイライト表示するハイライト表示手段を備えている。
【００２９】
このように、各キーワードを異なる色でハイライト表示するようにしているので、操作者は、表示状態のＷｅｂコンテンツにおける自己の関心のあるキーワードをより簡単に確認できる。
【００３０】
また、別の発明においては、上記発明のコンテンツ表示装置において、表示画面に各Ｗｅｂコンテンツが表示された状態においてインストールされた関連プログラムを、対応するＷｅｂコンテンツのリンク情報を付してプログラムメモリへ書込むプログラム登録手段と、Ｗｅｂコンテンツが表示器の表示画面に再表示されたとき、プログラムメモリに記憶された該当Ｗｅｂコンテツに対応する関連プログラムを読出して実行するプログラム実行手段とを備えている。
【００３１】
このように構成されたコンテンツ表示装置においては、ネットワークを介して入力され、表示されたＷｅｂコンテンツに関連する自己専用の関連情報を同一画面上に重ね表示できるとともに、表示されたＷｅｂコンテンツに関連する自己専用の関連プログラムも活用することができる。
【００３２】
また、本発明のコンテンツ表示方法においては、ネットワークを介して外部から入力されたＷｅｂコンテンツと、内部に記憶されたＷｅｂコンテンツに関連する関連情報とを表示器の表示画面上に重ね表示するようにしている。
【００３３】
このように構成されたコンテンツ表示方法においては、先に説明したコンテンツ表示装置とほぼ同じ作用効果を奏することが可能である。
【００３４】
また、別の発明のコンテンツ表示方法においては、ネットワークを介して外部から入力された各Ｗｅｂコンテンツを表示器の表示画面上に表示するＷｅｂコンテンツ表示工程と、表示器の表示画面に各Ｗｅｂコンテンツが表示された状態において、内部記憶部に記憶された複数情報のうち該当Ｗｅｂコンテンツに関連すると操作指定された関連情報における、表示画面上の表示位置、内部記憶部における記憶位置、タイトル、及び該当Ｗｅｂコンテンツのリンク情報を関連情報メモリに書込む関連情報登録工程と、Ｗｅｂコンテンツが表示器の表示画面に表示された状態において、関連情報メモリに記憶されたタイトルを表示器の表示画面の一部に関連情報メニューとして表示する関連情報メニュー表示工程と、関連情報メニューにおけるタイトル指定操作に応じて、関連情報メモリに記憶された該当タイトルの関連情報を内部記憶部から読出して表示画面上の指定された表示位置にＷｅｂコンテンツ上に重ね表示する関連情報表示工程とを備えている。
【００３５】
このように構成されたコンテンツ表示方法においては、先に説明したコンテンツ表示装置とほぼ同じ作用効果を奏することが可能である。
【００３６】
また、別の発明のコンテンツ表示方法においては、表示器の表示画面に各Ｗｅｂコンテンツが表示された状態において、ＧＵＩを用いたマウス操作に応じてＷｅｂコンテンツ上にマーカーを表示するマーカー表示工程と、マーカー表示工程で表示されたマーカーの表示位置、大きさ、色、及び対応するＷｅｂコンテンツのリンク情報をマーカーメモリに書込むマーカー登録工程と、Ｗｅｂコンテンツが表示器の表示画面に再表示されたとき、マーカーメモリに記憶された該当Ｗｅｂコンテンツに対応するマーカーを読出して、表示画面上の指定された表示位置にＷｅｂコンテンツ上に重ね標示するマーカー再表示工程とを備えている。
【００３７】
このように構成されたコンテンツ表示方法においては、先に説明したコンテンツ表示装置とほぼ同じ作用効果を奏することが可能である。
【発明の効果】
【００３８】
本発明においては、ネットワークを介して外部から入力されたＷｅｂコンテンツと、内部に記憶されたＷｅｂコンテンツに関連する関連情報とを表示器の表示画面上に重ね表示している。
【００３９】
したがって、Ｗｅｂサーバからネットワークを介して供給されたＷｅｂコンテンツと自己専用の関連情報とを簡単に比較対照でき、閲覧機能を大幅向上でき、さらに、操作性を大幅に向上できる。
【発明を実施するための最良の形態】
【００４０】
以下、本発明の一実施形態を図面を用いて説明する。
【００４１】
図１は本発明の一実施形態に係わるコンテンツ表示方法が適用されるコンテンツ表示装置の概略構成を示すブロック図である。
【００４２】
キーボード５とマウス６とからなる操作部７は、このコンテンツ表示装置の操作者（利用者）の操作指示に応じて、Ｗｅｂ検索部８を介してＷｅｂ検索指令をＷｅｂブラウザ１へ送出する。
【００４３】
Ｗｅｂブラウザ１は、例えばインターネット等のネットワーク２を介して外部の各Ｗｅｂサーバ３にアクセスして、各Ｗｅｂサーバ３から各Ｗｅｂコンテンツ（Ｗｅｂページ）を受信して、表示制御部９へ転送する。表示制御部９は、受領したＷｅｂコンテンツ（Ｗｅｂページ）を表示器４に表示出力する。
【００４４】
図２（ａ）は表示器４に受信したＷｅｂコンテンツ（Ｗｅｂページ）３３が表示された状態を示す図である。表示画面４ａの一方に複数のホームページ名３５ａからなるＷｅｂメニュー３４、表示中のＷｅｂコンテンツ（Ｗｅｂページ）３３に関連するこのコンテンツ表示装置の操作者における自己専用の複数のタイトル３５ａからなる関連情報メニュー３５が表示され、中央にＷｅｂコンテンツ（Ｗｅｂページ）３３が表示されている。表示画面４ａの下方に登録ボタン、インデックスボタン、表示画面４ａの上方に目次ボタン、前頁ボタン、次頁ボタンが表示されている。さらに、Ｗｅｂコンテンツ（Ｗｅｂページ）３３に隣接して、このＷｅｂコンテンツ（Ｗｅｂページ）３３の各インデックス３７が縦列表示されている。
【００４５】
関連情報メニュー３５のなかの１つのタイトル３５ａをＧＵＩ機能を利用したマウス６でクリックすると、図２（ｂ）に示すように、このタイトル３５ａの関連情報３６がＷｅｂコンテンツ（Ｗｅｂページ）３３上に重ね表示される。
【００４６】
また、図１に示すように、このコンテンツ表示装置内には、例えばＨＤＤ内に形成された多数の情報（コンテンツ）を記憶する内部記憶部１０、同じくＨＤＤ内に形成されたリンク情報記憶部１１、リンク情報表示制御部１２、リンク情報検索部１３、複数のアプリケーション・プログラムで実現される情報処理部１４が設けられている。
【００４７】
リンク情報記憶部１１内には、Ｗｅｂメニューメモリ１５、関連情報メモリ１６、インデックス・目次メモリ１７、マーカー・付箋紙メモリ１８、図形・イメージメモリ１９、レイヤメモリ２０、キーワードメモリ２１、プログラムメモリ２２が形成されている。
【００４８】
Ｗｅｂメニューメモリ１５内には、このコンテンツ表示装置の操作者が頻繁に閲覧するＷｅｂコンテンツ（Ｗｅｂページ）３３のホームページ名３４ａがＵＲＬとともに記憶されている。図２（ａ）に示すように、各ホームページ名３４ａは表示器４にＷｅｂメニュー３４として表示される。
【００４９】
関連情報メモリ１６内には、図３（ａ）に示すように、関連情報３６毎に、該当関連情報３６が関連すると操作者が指定したＷｅｂコンテンツ（Ｗｅｂページ）３３のＵＲＬ、タイトル３５ａ、表示器４上の表示位置、該当関連情報３６が記憶されている内部記憶部１０の記憶位置（ファイル位置）、メディアタイプ等が記憶されている。各タイトル３５ａは関連情報メニュー３５として図２（ａ）に示すように表示器４に表示される。
【００５０】
インデックス・目次メモリ１７内には、図３（ｂ）に示すように、Ｗｅｂコンテンツ（Ｗｅｂページ）３３のＵＲＬ毎に、インデックス３７と該当インデックス３７が存在するＷｅｂコンテンツ（Ｗｅｂページ）３３上の頁、及び目次４４と該当目次４４の頁とが記憶されている。
【００５１】
マーカー・付箋紙メモリ１８内には、図３（ｃ）に示すように、Ｗｅｂコンテンツ（Ｗｅｂページ）３３のＵＲＬ毎に、該当Ｗｅｂコンテンツ（Ｗｅｂページ）３３上に表示された図５（ｂ）、図１６に示すマーカー３８、及び図５（ｂ）、図１７に示す付箋紙３９の表示器４上の表示位置、大きさ、色、色透明度、付箋紙３９の場合の文字等が記憶されている。
【００５２】
図形・イメージメモリ１９内には、図４（ａ）に示すように、Ｗｅｂコンテンツ（Ｗｅｂページ）３３のＵＲＬ毎に、該当Ｗｅｂコンテンツ（Ｗｅｂページ）３３上に表示された図５（ｂ）に示す図形４０の表示器４上の表示位置、大きさ、塗りつぶし色、塗りつぶしの透明度、線の色、角度等が記憶されている。
【００５３】
レイヤメモリ２０内には、図５（ａ）に示すように、Ｗｅｂコンテンツ（Ｗｅｂページ）３３のＵＲＬ毎に、該当Ｗｅｂコンテンツ（Ｗｅｂページ）３３上に重ね表示されたマーカー３８、付箋紙３９、図形４０の重ね順序が記憶されている。
【００５４】
キーワードメモリ２１内には、図４（ｂ）に示すように、Ｗｅｂコンテンツ（Ｗｅｂページ）３３のＵＲＬ毎に、該当Ｗｅｂコンテンツ（Ｗｅｂページ）３３を全文検索して、このＷｅｂコンテンツ（Ｗｅｂページ）３３に含まれる各キーワードを求め、この各キーワードから使用頻度の高い順に所定個数のキーワードを選択した場合における選択されたキーワードの一覧４１が記憶されている。このキーワードメモリ２１に記憶されたキーワードの一覧４１は、図１２（ａ）に示すように、該当Ｗｅｂコンテンツ（Ｗｅｂページ）３３が表示器４に表示された時点で操作者の指示に応じて表示される。
【００５５】
プログラムメモリ２２内には、図４（ｃ）に示すように、Ｗｅｂコンテンツ（Ｗｅｂページ）３３のＵＲＬ毎に、該当Ｗｅｂコンテンツ（Ｗｅｂページ）３３が表示中にインストールされた、該当Ｗｅｂコンテンツ（Ｗｅｂページ）３３に関連する関連プログラムにおける、タイトル、実際のプログラムデータ、インストール元が記憶されている。
【００５６】
図１におけるリンク情報表示制御部１２は、Ｗｅｂコンテンツ（Ｗｅｂページ）３３が表示中に、リンク情報記憶部１１内に形成された関連情報メモリ１６に登録された該当Ｗｅｂコンテンツ（Ｗｅｂページ）３３にＵＲＬで対応付けられた関連情報３６のタイトル３５ａを読出して表示器４に関連情報メニュー３５として表示出力する。
【００５７】
リンク情報検索部１３は、表示器４に表示された関連情報メニュー３５のなかの１つのタイトル３５ａがＧＵＩ機能を利用したマウス６で指定されると、指定されたタイトル３５ａのリンク情報（記憶位置）を、関連情報メモリ１６から検出して、このリンク情報（記憶位置）を用いて内部記憶部１０から該当タイトル３５ａの関連情報３６を読出して、図２（ｂ）に示すように、表示制御部９を介して表示器４に表示されている該当Ｗｅｂコンテンツ（Ｗｅｂページ）３３に重ね表示する。
【００５８】
情報処理部１４内には、Ｗｅｂメニュー登録部２３、関連情報登録部２４、インデックス・目次登録部２５、図形・イメージ登録部２６、マーカー・付箋紙登録部２７、レイヤ登録部２８、キーワード登録部２９、全文検索部３０、ハイライト表示部３１、プログラムインストール部３２が設けられている。
【００５９】
次に、情報処理部１４内における各部２３〜３２の具体的動作を順番に説明していく。
【００６０】
Ｗｅｂメニュー登録部２３は、操作者の操作部７を介した指示に基づいて、頻繁に閲覧するＷｅｂコンテンツ（Ｗｅｂページ）３３のホームページ名３４ａをＵＲＬとともＷｅｂメニューメモリ１５に書込む。
【００６１】
次に、関連情報登録部２４の動作を図６の流れ図を用いて説明する。先ず、ネットワーク１を介して外部のＷｅｂサーバ３からＷｅｂコンテンツ（Ｗｅｂページ）３３を受信して、表示器４に表示出力する（Ｓ１）。この状態で、表示画面４ａの登録ボタンをマウスで６で押すと、図７に示す関連情報設定画面４２が表示される。操作者は、Ｗｅｂコンテンツ（Ｗｅｂページ）３３に関連する自己専用の関連情報３６を内部記憶部１０から選択して、選択した関連情報３６のタイトル３５ａ、メディアタイプ、表示位置、内部記憶部１０の記憶位置（ファイル位置）を関連情報設定画面４２にＧＵＩ機能を利用して書込む。この関連情報設定画面４２に書込まれた各情報をＷｅｂコンテンツ（Ｗｅｂページ）３３のＵＲＬとともに、関連情報メモリ１６へ書込む。その後、リンク情報表示制御部１２が起動して、関連情報メモリ１６に登録された各関連情報３６のタイトル３５ａを読出して表示器４に関連情報メニュー３５として表示出力する（Ｓ２）。
【００６２】
そして、リンク情報検索部１３が起動して、表示器４に表示された関連情報メニュー３５のなかの１つのタイトル３５ａがマウス６で指定されると（Ｓ３）、指定されたタイトル３５ａの表示位置、内部記憶部１０の記憶位置を関連情報メモリ１６から検出して、このリンク情報を用いて内部記憶部１０から該当タイトル３５ａの関連情報３６を読出して、図２（ｂ）に示すように、表示制御部９を介して表示器４に表示されている該当Ｗｅｂコンテンツ（Ｗｅｂページ）３３に重ね表示する（Ｓ４）。
【００６３】
図８は、以上の関連情報３６の関連情報メモリ１５に対する登録処理が終了した後に実施されるＷｅｂコンテンツ（Ｗｅｂページ）３３の表示処理を示す図である。表示器４に表示されたＷｅｂメニュー３４から一つのホームページ名３４ａがマウス６で選択されると（Ｓ１１）、このホームページ名３４ａに対応するＵＲＬをＷｅｂメニューメモリ１５から検索してＷｅｂブラウザ１へ送出する（Ｓ１２）。
【００６４】
Ｗｅｂブラウザ１からＷｅｂコンテンツ（Ｗｅｂページ）３３が入力すると（Ｓ１３）、このＷｅｂコンテンツ（Ｗｅｂページ）３３を表示器４に表示する（Ｓ１４）。関連情報メモリ１６に、該当Ｗｅｂコンテンツ（Ｗｅｂページ）３３の関連情報が登録されていた場合は（Ｓ１５）、リンク情報表示制御部１２が起動して、関連情報メモリ１６に登録された各関連情報３６のタイトル３５ａを読出して表示器４に関連情報メニュー３５として表示出力する（Ｓ１６）。さらに、関連情報メニュー３５のなかの１つのタイトル３５ａがマウス６で指定されると、指定されたタイトル３５ａの関連情報３６をＷｅｂコンテンツ（Ｗｅｂページ）３３に重ね表示する。
【００６５】
なお、Ｗｅｂブラウザ１からＷｅｂコンテンツ（Ｗｅｂページ）３３が入力されないと（Ｓ１３）、エラー表示する（Ｓ１８）。
【００６６】
このように、表示器４に表示されたＷｅｂコンテンツ（Ｗｅｂページ）３３に関連する自己専用の関連情報３６を内部記憶部１０から選択して、該当Ｗｅｂコンテンツ（Ｗｅｂページ）３３に対するリンク情報（ＵＲＬ）を付して関連情報メモリ１６へ記憶保持し、同一Ｗｅｂコンテンツ（Ｗｅｂページ）３３が表示器４に再表示されたときに、関連情報メモリ１６に記憶された各関連情報３６のタイトル３５ａを関連情報メニュー３５として表示出力し、操作者に選択可能としている。
【００６７】
したがって、操作者にとって、Ｗｅｂサーバ３からネットワーク２を介して供給されたＷｅｂコンテンツ（Ｗｅｂページ）３３と自己専用の関連情報３６とを簡単に比較対照でき、閲覧機能を大幅向上でき、さらに、操作性を大幅に向上できる。
【００６８】
次に、インデックス・目次登録処理部２５の動作を図９の流れ図を用いて説明する。図２（ａ）に示すように、表示器４にＷｅｂコンテンツ（Ｗｅｂページ）３３が表示された状態において（Ｓ２１）、マウス６でインデックスボタンを押すと（Ｓ２２）、Ｗｅｂコンテンツ（Ｗｅｂページ）３３のインデックス候補画面（図示せず）を表示する（Ｓ２３）。操作者が必要なインデックスを選択すると、選択したインデックス及び該当インデックスの記載された頁をインデックス・目次メモリ１７に登録する。同時に、図２（ａ）に示すように、表示器４に選択したインデックス３７を縦方向に表示する（Ｓ２４）。
【００６９】
操作者が、表示器４にＷｅｂコンテンツ（Ｗｅｂページ）３３が表示された状態において、マウス６で目次ボタン（目次設定開始ボタン）を押すと（Ｓ２５）、図１０に示すように、Ｗｅｂコンテンツ（Ｗｅｂページ）３３の目次設定画面４３を表示する（Ｓ２６）。操作者が必要な目次４４を設定すると、設定した目次４４及び該当目次４４の記載された頁をインデックス・目次メモリ１７に登録する。同時に、図１０に示すように、表示器４に設定した目次４４を、Ｗｅｂメニュー３４及び関連情報メニュー３５の隣接位置に縦方向に配列表示する（Ｓ２７）。
【００７０】
表示器４にＷｅｂコンテンツ（Ｗｅｂページ）３３が表示された状態において、縦方向に配列されたインデックス３７又は目次４４をマウス６で指定すると、Ｗｅｂコンテンツ（Ｗｅｂページ）３３における指定されたインデックス３７又は目次４４が記載された頁が表示される。
【００７１】
このように、表示器４に表示されたＷｅｂコンテンツ（Ｗｅｂページ）３３のインデックス３７及び目次４４を作成して、インデックス・目次メモリ１７へ記憶保持し、同一Ｗｅｂコンテンツ（Ｗｅｂページ）３３が表示器４に再表示されたときに、操作者の操作指令に基づいて、インデックス・目次メモリ１７に記憶されている該当Ｗｅｂコンテンツ（Ｗｅｂページ）３３のインデックス３７及び目次４４を読出して表示器４に表示している。したがって、操作者にとって、同一Ｗｅｂコンテンツ（Ｗｅｂページ）３３を定期的に閲覧する場合において、操作性を大幅に向上できる。
【００７２】
次に、キーワード登録部２９、全文検索部３０、ハイライト表示部３１の動作を図１１の流れ図を用いて説明する。図１２（ａ）に示すように、表示器４にＷｅｂコンテンツ（Ｗｅｂページ）３３が表示された状態において、マウス６でキーワード抽出ボタンが押されると（Ｓ３１）、全文検索部３０が起動して、該当Ｗｅｂコンテンツ（Ｗｅｂページ）３３を全文検索して（Ｓ３２）、キーワードリストを作成する（Ｓ３３）。このキーワードリストから使用頻度の高い順に所定個数のキーワード４５からなるキーワードの一覧４１を作成する（Ｓ３４）。
【００７３】
そして、ハイライト表示部３１が起動して、図１２（ｂ）に示すように、表示状態のＷｅｂコンテンツ（Ｗｅｂページ）３３におけるキーワードの一覧４１に含まれる各キーワード４５を、キーワード４５毎に異なる色でハイライト表示する（Ｓ３５）。次に、キーワード登録部２９が起動して、キーワードの一覧４１を該当Ｗｅｂコンテンツ（Ｗｅｂページ）３３のＵＲＬと共にキーワードメモリ２１へ書込む（Ｓ３６）。
【００７４】
なお、該当Ｗｅｂコンテンツ（Ｗｅｂページ）３３が表示器４に再表示されたときに、操作者の操作指令に基づいて、キーワードメモリ２１に記憶されている該当Ｗｅｂコンテンツ（Ｗｅｂページ）３３のキーワードの一覧４１を読出して、表示器４に表示出力できる。
【００７５】
この状態において、操作者がマウス６で、キーワードの一覧４１の中の１つのキーワード４５を指定すると、Ｗｅｂコンテンツ（Ｗｅｂページ）３３における該当キーワード４５の記載頁が表示器４に表示されるようにＷｅｂコンテンツ（Ｗｅｂページ）３３の表示位置をスクロールする。
【００７６】
このように、表示器４に表示されたＷｅｂコンテンツ（Ｗｅｂページ）３３のキーワードの一覧４１を作成して、キーワードメモリ２１へ記憶保持し、同一Ｗｅｂコンテンツ（Ｗｅｂページ）３３が表示器４に再表示されたときに、操作者の操作指令に基づいて、キーワードメモリ２１に記憶されている該当Ｗｅｂコンテンツ（Ｗｅｂページ）３３のキーワードの一覧４１を読出して表示器４に表示している。したがって、操作者にとって、同一Ｗｅｂコンテンツ（Ｗｅｂページ）３３を定期的に閲覧する場合において、操作性を大幅に向上できる。
【００７７】
次に、マーカー・付箋紙登録部２７におけるマーカー３８の表示、登録処理を図１３のタイミングチャートを用いて説明する。
【００７８】
操作者４６は、図１６に示すように、表示器４にＷｅｂコンテンツ（Ｗｅｂページ）３３が表示された状態で、マウスでオプションツールの中の「マーカー」を指定することによって、マーカー開始を選択する（Ｑ１）。するとマーカー３８が動作開始する（Ｑ２）。操作者４６はマウス６操作でマーカー３８の表示位置を指定すると、マーカー３８が指定位置に表示される（Ｑ３）。操作者４６がマーカー３８の色、色透明度等のマーカー属性の変更指示を操作入力すると（Ｑ４）、表示中のマーカー３８の色、色透明度等が変化する。操作者４６がマーカー終了を入力すると（Ｑ５）、マーカー動作が終了する（Ｑ６）。
【００７９】
そして、表示されたマーカー３８の、表示位置、大きさ（長さ）、色、色透明度、及び該当Ｗｅｂコンテンツ（Ｗｅｂページ）３３のＵＲＬをマーカー・付箋紙メモリ１８へ書き込む。
【００８０】
なお、該当Ｗｅｂコンテンツ（Ｗｅｂページ）３３が表示器４に再表示されたときに、操作者の操作指令に基づいて、マーカー・付箋紙メモリ１８に記憶されている該当Ｗｅｂコンテンツ（Ｗｅｂページ）３３の各マーカー３８を読出して、Ｗｅｂコンテンツ（Ｗｅｂページ）３３の同一位置に再表示出力できる。
【００８１】
次に、マーカー・付箋紙登録部２７における付箋紙３９の表示、登録処理を図１４のタイミングチャートを用いて説明する。
【００８２】
操作者４６は、図１７に示すように、表示器４にＷｅｂコンテンツ（Ｗｅｂページ）３３が表示された状態で、マウスでオプションツールの中の「付箋紙（メモカード）」を指定することによって、付箋紙開始を選択する（Ｑ１１）。すると付箋紙３９が動作開始する（Ｑ１２）。操作者４６はマウス６操作で付箋紙３９の表示位置を指定すると、付箋紙３９が指定位置に表示される（Ｑ１３）。
【００８３】
操作者４６が付箋紙３９の色、色透明度、記載文字等の付箋紙属性の変更指示を操作入力すると（Ｑ１４）、表示中の付箋紙３９の色、色透明度、記載文字等が変化する。操作者４６がマウス６操作で付箋紙３９の移動を指定すると（Ｑ１５）、付箋紙３９の表示位置が変化する（Ｑ１６）。操作者４６がマウス６のドラッグ操作で付箋紙３９の大きさを変更すると（Ｑ１７）、付箋紙３９の大きさが変化する（Ｑ１８）。操作者４６が付箋紙終了を入力すると、付箋紙動作が終了する。
【００８４】
そして、表示された各付箋紙３９の、表示位置、大きさ、色、色透明度、文字及び該当Ｗｅｂコンテンツ（Ｗｅｂページ）３３のＵＲＬをマーカー・付箋紙メモリ１８へ書込む。
【００８５】
なお、該当Ｗｅｂコンテンツ（Ｗｅｂページ）３３が表示器４に再表示されたときに、操作者の操作指令に基づいて、マーカー・付箋紙メモリ１８に記憶されている該当Ｗｅｂコンテンツ（Ｗｅｂページ）３３の各付箋紙３９を読出して、Ｗｅｂコンテンツ（Ｗｅｂページ）３３の同一位置に再表示出力できる。
【００８６】
次に、図形・イメージ登録部２６における図形４０の表示、登録処理を図１５のタイミングチャートを用いて説明する。
【００８７】
操作者４６は、図１８に示すように、表示器４にＷｅｂコンテンツ（Ｗｅｂページ）３３が表示された状態で、マウスでオプションツールの中の「図形」を指定することによって、図形開始を選択する（Ｑ２１）。すると図形４０が動作開始する（Ｑ２２）。操作者４６はマウス６操作で図形４０の表示位置を指定すると、図形４０が指定位置に表示される（Ｑ２３）。
【００８８】
操作者４６が図形４０の塗りつぶし色、線の色、色透明度等の図形属性の変更指示を操作入力すると（Ｑ２４）、表示中の図形４０の塗りつぶし色、線の色、色透明度等が変化する。操作者４６がマウス６操作で図形４０移動を指定すると（Ｑ２５）、図形４０の表示位置が変化する（Ｑ２６）。操作者４６がマウス６のドラッグ操作で図形４０の大きさ変更すると（Ｑ２７）、図形４０の大きさが変化する（Ｑ２８）。操作者４６がマウス６のドラッグ操作で図形４０の角度を変更すると（Ｑ２９）、図形４０の角度が変化する（Ｑ３０）。操作者４６が図形終了を入力すると、図形動作が終了する。
【００８９】
そして、表示された各図形４０の、塗りつぶし色、線の色、色透明度等、角度、及び該当Ｗｅｂコンテンツ（Ｗｅｂページ）３３のＵＲＬを図形・イメージメモリ１９へ書込む。
【００９０】
なお、該当Ｗｅｂコンテンツ（Ｗｅｂページ）３３が表示器４に再表示されたときに、操作者の操作指令に基づいて、図形・イメージメモリ１９に記憶されている該当Ｗｅｂコンテンツ（Ｗｅｂページ）３３の各図形４０を読出して、Ｗｅｂコンテンツ（Ｗｅｂページ）３３の同一位置に再表示出力できる。
【００９１】
次に、レイヤ登録部２８の動作を説明する。前述したように、表示器４に表示されたＷｅｂコンテンツ（Ｗｅｂページ）３３上には、図５（ｂ）に示すように、マーカー３８、付箋紙３９、図形４０の３種類が重ね表示可能である。この場合、重ね順序が重要である。レイヤ登録部２８は、操作者のマウス６やキーボード５を用いた設定操作により、図５（ａ）のレイヤメモリ２０内に、Ｗｅｂコンテンツ（Ｗｅｂページ）３３のＵＲＬ毎に、該当Ｗｅｂコンテンツ（Ｗｅｂページ）３３上に重ね表示されたマーカー３８、付箋紙３９、図形４０の重ね順序を書込む。なお、このレイヤメモリ２０内に書込まれたマーカー３８、付箋紙３９、図形４０の重ね順序を後から任意に変更可能である。
【００９２】
そして、該当Ｗｅｂコンテンツ（Ｗｅｂページ）３３が表示器４に再表示されたときに、操作者の操作指令に基づいて、マーカー３８、付箋紙３９、図形４０をマーカー・付箋紙メモリ１８、図形・イメージメモリ１９の記憶情報に基づいて該当Ｗｅｂコンテンツ（Ｗｅｂページ）３３上に重ね表示する場合に、マーカー３８、付箋紙３９、図形４０の重ね順序をレイヤメモリ２０内に書込まれた順序とする。
【００９３】
さらに、レイヤ登録部２８は、操作者４６における表示切り替えボタン操作に応じて、レイヤメモリ２０内に書込まれたマーカー３８、付箋紙３９、図形４０の重ね順序を、図５（ｂ）に示すようにレイヤ表示することが可能である。なお、レイヤ表示とは、階層化された複数の透明シートにおける、重ね順序に対応する透明シートにマーカー３８、付箋紙３９及び図形４０を貼付けた状態を立体表示することである。
【００９４】
このように、表示器４に表示されたＷｅｂコンテンツ（Ｗｅｂページ）３３上に、マーカー３８、付箋紙３９及び図形４０を任意に表示できるとともに、そのマーカー３８、付箋紙３９及び図形４０の表示情報を各メモリ１８、１９、２０に記憶保持し、同一Ｗｅｂコンテンツ（Ｗｅｂページ）３３が表示器４に再表示されたときに、マーカー３８、付箋紙３９及び図形４０を同一条件でＷｅｂコンテンツ（Ｗｅｂページ）３３に再表示している。したがって、操作者にとって、同一Ｗｅｂコンテンツ（Ｗｅｂページ）３３を定期的に閲覧する場合において、操作性を大幅に向上できる。
【００９５】
また、プログラムインストール部３２は、表示器４にＷｅｂコンテンツ（Ｗｅｂページ）３３が表示された状態において、このＷｅｂコンテンツ（Ｗｅｂページ）３３に関連せる自己専用の関連プログラムをインストール可能とし、インストールされた関連プログラムを、対応するＷｅｂコンテンツ（Ｗｅｂページ）３３のＵＲＬ（リンク情報）を付してプログラムメモリ２２へ書込む。
【００９６】
そして、Ｗｅｂコンテンツ（Ｗｅｂページ）３３が表示器４に再表示されたとき、操作者の指示に従って、プログラムメモリ２２に記憶された該当Ｗｅｂコンテツ（Ｗｅｂページ）３３に対応する関連プログラムを読出して実行する。この関連プログラムとして、例えば、予定表プログラム等がある。
【００９７】
このように、ネットワーク２を介して入力されて表示されたＷｅｂコンテンツ（Ｗｅｂページ）３３に関連する自己専用の関連情報３６を同一画面上に重ね表示できるとともに、表示されたＷｅｂコンテンツ（Ｗｅｂページ）３３に関連する自己専用の関連プログラムも活用することができる。
【図面の簡単な説明】
【００９８】
【図１】本発明の一実施形態に係わるコンテンツ表示方法が適用されるコンテンツ表示装置の概略構成を示すブロック図
【図２】同実施形態のコンテンツ表示装置における表示器に表示されたＷｅｂコンテンツ及び関連情報を示す図
【図３】同実施形態のコンテンツ表示装置におけるリンク情報記憶部に形成された各メモリの記憶内容を示す図
【図４】同じく同実施形態のコンテンツ表示装置におけるリンク情報記憶部に形成された各メモリの記憶内容を示す図
【図５】同実施形態のコンテンツ表示装置におけるレイヤメモリ及びレイヤ表示状態を示す図
【図６】同実施形態のコンテンツ表示装置における関連情報登録処理動作を示す流れ図
【図７】同実施形態のコンテンツ表示装置における表示器に表示された関連情報設定画面を示す図
【図８】同実施形態のコンテンツ表示装置におけるＷｅｂページ表示処理動作を示す流れ図
【図９】同実施形態のコンテンツ表示装置におけるインデックス・目次設定処理動作を示す流れ図
【図１０】同実施形態のコンテンツ表示装置における表示器に表示された目次設定画面を示す図
【図１１】同実施形態のコンテンツ表示装置におけるキーワード抽出、ハイライト表示処理動作を示す流れ図
【図１２】同実施形態のコンテンツ表示装置における表示器に表示されたＷｅｂコンテンツ及びキーワードを示す図
【図１３】同実施形態のコンテンツ表示装置におけるマーカー表示及び登録のタイミングチャートを示す図
【図１４】同実施形態のコンテンツ表示装置における付箋紙表示及び登録のタイミングチャートを示す図
【図１５】同実施形態のコンテンツ表示装置における図形表示及び登録のタイミングチャートを示す図
【図１６】同実施形態のコンテンツ表示装置における表示器に表示されたＷｅｂコンテンツ及びマーカーを示す図
【図１７】同実施形態のコンテンツ表示装置における表示器に表示されたＷｅｂコンテンツ及び付箋紙を示す図
【図１８】同実施形態のコンテンツ表示装置における表示器に表示されたＷｅｂコンテンツ及び図形を示す図
【符号の説明】
【００９９】
１…Ｗｅｂブラウザ、２…ネットワーク、３…Ｗｅｂサーバ、４…表示器、４ａ…表示画面、５…キーボード、６…マウス、７…操作部、８…Ｗｅｂ検索部、９…表示制御部、１０…内部記憶部、１１…リンク情報記憶装置、１２…リンク情報表示制御部、１３…リンク情報検索部、１４…情報処理部、１５…Ｗｅｂメニューメモリ、１６…関連情報メモリ、１７…インデックス・目次メモリ、１８…マーカー・付箋紙メモリ、１９…図形・イメージメモリ、２０…レイヤメモリ、２１…キーワードメモリ、２２…プログラムメモリ、２３…Ｗｅｂメニュー登録部、２４…関連情報登録部、２５…インデックス・目次登録部、２６…図形・イメージ登録部、２７…マーカー・付箋紙登録部、２８…レイヤ登録部、２９…キーワード登録部、３０…全文検索部、３１…ハイライト表示部、３２…プログラムインストール部、３３…Ｗｅｂコンテンツ（Ｗｅｂページ）、３４…Ｗｅｂメニュー、３４ａ…ホームページ名、３５…関連情報メニュー、３５ａ…タイトル、３６…関連情報、３７…インデックス、３８…マーカー、３９…付箋紙、４０…図形、４１…キーワードの一覧、４２…関連情報設定画面、４３…目次設定画面、４４…目次、４５…キーワード、４６…操作者
【図１】
2006113976.tif 000003
【図２】
2006113976.tif 000004
【図３】
2006113976.tif 000005
【図４】
2006113976.tif 000006
【図５】
2006113976.tif 000007
【図６】
2006113976.tif 000008
【図７】
2006113976.tif 000009
【図８】
2006113976.tif 000010
【図９】
2006113976.tif 000011
【図１０】
2006113976.tif 000012
【図１１】
2006113976.tif 000013
【図１２】
2006113976.tif 000014
【図１３】
2006113976.tif 000015
【図１４】
2006113976.tif 000016
【図１５】
2006113976.tif 000017
【図１６】
2006113976.tif 000018
【図１７】
2006113976.tif 000019
【図１８】
2006113976.tif 000020